(57)【要約】      （修正有）【課題】表示特性を向上させるために表示装置を駆動する駆動装置及び駆動方法を提供する。【解決手段】表示装置、これの駆動方法及び駆動装置において、画素の第１配列方向に沿って２つの連続された同一の極性の第１データ信号を画素に交互に印加されるようにし、第１配列方向と交差する第２配列方向に沿っては２つの連続された同一な極性の第２データ信号を画素に交互に印加されるようにして、表示装置の画面上に第１配列方向及び第２配列方向に沿って相対的に明るい画素領域と相対的に暗い画素領域とが交互に示されるようにする。【選択図】図１
2005122172.tif 000002
【特許請求の範囲】
【請求項１】
複数個のゲートラインと、複数個のブロックに分離される複数個のデータラインからなる表示パネルと、
前記ゲートラインを順次にアクティブさせるスキャン信号を出力するゲート駆動部と、
前記ゲートラインがアクティブにされるアクティブ区間のあいだ、各ブロック単位で前記複数個のデータラインにデータ信号を出力し、二度の前記アクティブ区間経過の際に出力される前記データ信号の極性が反転された位相を有するようにデータ信号を出力するデータ駆動部と、
前記各ゲートライン毎に各ブロックが選択される時間を異なるようにして前記各ブロックに前記データ信号を印加するライン選択部と、
を含むことを特徴とする表示装置。
【請求項２】
前記データラインの個数はｍ個であり、ｍ/２個のデータラインからなる第１ブロック及び残りｍ/２個のデータラインからなる第２ブロックからなることを特徴とする請求項１記載の表示装置
ここで、ｍは偶数。
【請求項３】
前記第１ブロックは奇数番目のデータラインからなり、前記第２ブロックは偶数番目のデータラインからなることを特徴とする請求項２記載の表示装置。
【請求項４】
前記ライン選択部は、
前記第１選択信号に応答して前記第１ブロックに前記データ信号を提供する第１選択部と、
第２選択信号に応答して前記第２ブロックに前記データ信号を提供する第２選択部と、
を含むことを特徴とする請求項２記載の表示装置。
【請求項５】
前記第１及び第２選択信号は、互いに反転された位相を有することを特徴とする請求項４記載の表示装置。
【請求項６】
前記ライン選択部は奇数番目のゲートラインのアクティブ区間のあいだには、前記第１ブロックに前記データ信号を出力した後、前記第２ブロックに前記データ信号を出力することを特徴とする請求項３記載の表示装置。  
【請求項７】
前記ライン選択部は偶数番目のゲートラインのアクティブ区間のあいだには、前記第２ブロックに前記データ信号を出力した後、前記第１ブロックに前記データ信号を出力することを特徴とする請求項３記載の表示装置。  
【請求項８】
前記データ信号の極性は、基準電圧より高い第１極性と前記基準電圧より低い第２極性とからなることを特徴とする請求項２記載の表示装置。
【請求項９】
奇数番目のゲートラインのアクティブ区間のあいだ、前記第１及び第２ブロックにそれぞれ印加されるデータ信号は互いに同一の極性を有し、偶数番目のゲートラインのアクティブ区間の間、前記第１及び第２ブロックにそれぞれ印加されるデータ信号は互いに異なる極性を有することを特徴とする請求項８記載の表示装置。
【請求項１０】
直前ゲートラインのアクティブ区間のあいだの前記第２ブロックに印加されるデータ信号の極性は、現在ゲートラインのアクティブ区間のあいだの前記第１ブロックに印加されるデータ信号の極性と同一であることを特徴とする請求項２記載の表示装置。
【請求項１１】
前記ゲート駆動部が一番目のゲートラインから最後のゲートラインまで前記スキャン信号が順次に印加される間の時間区間をフレームとして定義するとき、
前記データ駆動部は現在フレームから各データラインに前記第１極性のデータ信号を印加すると、次のフレームから前記各データラインに前記第２極性のデータ信号を印加することを特徴とする請求項８記載の表示装置。
【請求項１２】
ｎ個のゲートライン及びｍ個のデータラインからなる複数個のブロックに分割される複数個のデータラインが具備された表示パネルを有する表示装置を駆動する方法において、
ｉ番目のゲートラインをアクティブさせる段階と、
前記ｉ番目のゲートラインにアクティブされた間、各ブロック単位でデータ信号を出力する段階と、
ｉ＋１番目のゲートラインをアクティブさせる段階と、
前記ｉ＋１番目のゲートラインにアクティブされた間、各ブロック単位でデータ信号を出力する段階と、
ｉ＋２番目のゲートラインをアクティブさせる段階と、
前記ｉ＋２番目のゲートラインにアクティブされた間、前記ｉ番目のゲートラインがアクティブされた間各ブロック単位で印加されたデータ信号と反対の位相を有するデータ信号をブロック単位で出力する段階と、
を含むことを特徴とする表示装置駆動方法
ここで、ｍ、ｎは２以上の自然数であり、ｉは（ｎ−２）より小さいか同じの自然数。
【請求項１３】
前記データラインはｍ/２個のデータラインからなる第１ブロックと、残りのｍ/２個のデータラインからなる第２ブロックと、で構成されることを特徴とする請求項１２記載の表示装置駆動方法
ここで、但し、ｍは偶数である。
【請求項１４】
奇数番目のゲートラインのアクティブ区間のあいだには、前記第１ブロックに前記データ信号を出力した後前記第２ブロックに前記データ信号を出力することを特徴とする請求項１３記載の表示装置駆動方法。
【請求項１５】
偶数番目のゲートラインのアクティブ区間のあいだには、前記第２ブロックに前記データ信号を出力した後前記第１ブロックに前記データ信号を出力することを特徴とする請求項１４記載の表示装置駆動方法。
【請求項１６】
以前ゲートラインのアクティブ区間のあいだ、前記第２ブロックに印加される前記データ信号の極性は、現在のゲートラインのアクティブ区間のあいだ、前記第１ブロックに印加される前記データ信号の極性と同一であることを特徴とする請求項１３記載の表示装置駆動方法。
【請求項１７】
複数のゲートラインと、少なくとも２つのデータラインからなる複数のブロックに分割される複数のデータラインと、複数の画素を含む表示パネルとを有する表示装置を駆動する方法において、
第１グループのゲートラインがアクティブされると、第１ブロックのデータラインに第１データ信号を出力した後第２ブロックのデータラインに第２データ信号を出力する段階と、
第２グループのゲートラインがアクティブされると、前記第２ブロックのデータラインに第３データ信号を出力した後前記第１ブロックのデータラインに第４データ信号を出力する段階と、
を含む表示装置駆動方法。  
【請求項１８】
前記第１及び第２データ信号は、前記第１グループの各ゲートライン毎に交互に互いに異なる極性を有し出力されることを特徴とする請求項１７記載の表示装置駆動方法。
【請求項１９】
前記第３及び第４データ信号は、前記第２グループの各ゲートライン毎に交互に互いに異なる極性を有し出力されることを特徴とする請求項１７記載の表示装置駆動方法。
【請求項２０】
前記第１グループのゲートラインのアクティブ区間の間前記第１及び第２ブロックのデータ信号は互いに同一の極性を有し、前記第２グループのゲートラインのアクティブ区間の間前記第１及び第２ブロックのデータ信号は互いに異なる極性を有することを特徴とする請求項１７記載の表示装置駆動方法。
【請求項２１】
一番目のゲートラインから最後のゲートラインまで順次にアクティブされる間の時間区間をフレームとして定義する時、
奇数番目のフレームに各画素に印加されるデータ信号の極性と偶数番目のフレームに前記各画素に印加されるデータ信号の極性とが互いに反対であることを特徴とする請求項１７記載の表示装置駆動方法。
【請求項２２】
前記画素の第１配列の方向に沿って２つの連続された同一の極性のデータ信号が前記画素に交互に印加され、前記第１配列方向と交差する第２配列方向に沿って２つの連続された同一の極性のデータ信号が前記画素に交互に印加されることを特徴とする請求項１７記載の表示装置駆動方法。  
【請求項２３】
相対的に明るい画素と相対的に暗い画素とが前記画素の第１配列方向及び前記第１配列方向と交差する第２配列方向に沿って交互に示されることを特徴とする請求項１７記載の表示装置駆動方法。
【請求項２４】
前記第１グループは奇数番目のゲートラインであり、前記第２グループは偶数番目のゲートラインであることを特徴とする請求項１７記載の表示装置駆動方法。
【請求項２５】
画素の第１配列方向に沿って２つの連続された同一の極性の第１データ信号を前記画素に交互に印加されるようにし、前記第１配列方向と交差する第２配列方向に沿って２つの連続された同一の極性の第２データ信号を前記画素に交互に印加されるようにして表示装置の画面上に前記第１配列方向及び前記第２配列方向に沿って相対的に明るい画素領域と相対的に暗い画素領域とが交互に示されるように駆動する表示装置の駆動方法。
【請求項２６】
複数のゲートラインと、少なくとも２つのデータラインからなる複数のブロックに分割される複数のデータラインと、複数の画素を含む表示パネルとを有する表示装置を駆動する装置は、
第１グループのゲートラインがアクティブされると、第１ブロックのデータラインに第１データ信号を出力した後第２ブロックのデータラインに第２データ信号を出力し、第２グループのゲートラインがアクティブされると、前記第２ブロックのデータラインに第３データ信号を出力した後前記第１ブロックのデータラインに第４データ信号を出力することを特徴とする表示装置の駆動装置。
【発明の詳細な説明】
【技術分野】
【０００１】
本発明は表示装置、これの駆動方法及び駆動装置に関する。
【背景技術】
【０００２】
液晶表示装置は、例えば、複数のゲートラインと複数のデータラインが具備された液晶表示パネル、複数のゲートラインにゲート駆動信号を出力するゲート駆動回路及び複数のデータラインに映像信号を出力するデータ駆動回路で構成される。ゲート駆動回路及びデータ駆動回路はチップ形態に液晶表示パネルに実装される。
【０００３】
また、最近には液晶表示装置の全体的なサイズを減少させ、かつ生産性を増大させるためにゲート駆動回路が液晶表示パネルに直接的に形成される。ゲート駆動回路は互いに従属的に連結された複数のステージからなるシフトレジスタで構成され得る。それぞれのステージは複数のゲートラインに一対一に対応し、各ステージの出力は対応するゲートラインに印加される。
【発明の開示】
【発明が解決しようとする課題】
【０００４】
ゲート駆動回路が液晶表示パネルの製造過程で共に形成される場合には、液晶表示パネルの解像度が増加してもゲート駆動回路のステージの個数を調節して解像度を増加させることができる。しかし、データ駆動回路がチップ形態に予め製造された状態で液晶表示パネルに実装される場合には液晶表示パネルの解像度の変化に対応してデータ駆動回路を適切に変更させることができない。
【０００５】
このような問題を解決するために液晶表示パネルの解像度が増加することによってデータ駆動回路から出力されたデータ信号を多重化するための選択部が液晶表示パネルに直接的に具備される。選択部は所定のブロックに分割された複数のデータラインに時間差を置いてデータ信号を出力する。しかし、このように液晶表示装置が選択部を採用するようになると各ブロックの境界で輝線が発生して液晶表示装置の表示品質を低下させる。
【０００６】
従って、本発明の第１特徴は表示特性を向上させるために表示装置を駆動する駆動装置を提供することにある。
【０００７】
また、本発明の第２特徴は表示特性を向上させるために表示装置を駆動する方法を提供することにある。
【０００８】
また、本発明の第３特徴は前記した駆動装置を有する表示装置を提供することにある。
【課題を解決するための手段】
【０００９】
上記課題を解決するために、本願第１発明は、複数個のゲートラインと、複数個のブロックに分離される複数個のデータラインからなる表示パネルと、前記ゲートラインを順次にアクティブさせるスキャン信号を出力するゲート駆動部と、前記ゲートラインがアクティブにされるアクティブ区間のあいだ、各ブロック単位で前記複数個のデータラインにデータ信号を出力し、二度の前記アクティブ区間経過の際に出力される前記データ信号の極性が反転された位相を有するようにデータ信号を出力するデータ駆動部と、前記各ゲートライン毎に各ブロックが選択される時間を異なるようにして前記各ブロックに前記データ信号を印加するライン選択部とを含むことを特徴とする表示装置。
【００１０】
ブロック単位でデータラインにデータ信号を出力するとともに、２度のアクティブ期間毎にデータ信号の極性を反転し、さらにゲートライン毎に各ブロックへのデータ信号の印加時間が異なるため、液晶表示装置の画面上において相対的に明るい画素領域と暗い画素領域とが交互に表示される。よって、画面の全体的な輝度が同一となり、液晶表示装置の表示品質を高めることができる。より詳細には、隣接する画素は、互いに逆極性のデータ信号により駆動されるため、隣接する画素間におけるフリッカが相殺される。また、ゲートライン毎に極性反転の位置が移動するため、極性反転に伴う正極性と負極性の表示画素の境界に生じる表示ムラを防止することができる。また、ライン選択部によるゲートライン毎の各ブロックへのデータ信号の印加時間を異ならせることで、解像度の変化にも対応することができる。
【００１１】
本願第２発明は、本願第１発明において、前記データラインの個数はｍ個であり、ｍ/２個のデータラインからなる第１ブロック及び残りｍ/２個のデータラインからなる第２ブロックからなることを特徴とする表示装置を提供する、ここで、ｍは偶数である。
【００１２】
本願第３発明は、本願第２発明において、前記第１ブロックは奇数番目のデータラインからなり、前記第２ブロックは偶数番目のデータラインからなることを特徴とする表示装置を提供する。
【００１３】
奇数番目のデータラインが第１ブロックであり、偶数番目のデータラインが第２ブロックであるので、奇数番目のデータラインと偶数番目のデータラインに印加されるデータ信号の印加時間が異なる。さらに、２度のアクティブ期間毎にデータ信号の極性が反転するため、液晶表示装置の画面上において相対的に明るい画素領域と暗い画素領域とが交互に表示される。よって、画面の全体的な輝度が同一となり、液晶表示装置の表示品質を高めることができる。
【００１４】
本願第４発明は、本願第２発明において、前記ライン選択部は、前記第１選択信号に応答して前記第１ブロックに前記データ信号を提供する第１選択部と、第２選択信号に応答して前記第２ブロックに前記データ信号を提供する第２選択部と、を含むことを特徴とする表示装置を提供する。
【００１５】
第１及び第２選択信号を用いて、第１及び第２ブロックのデータラインそれぞれに、異なる時間にデータ信号を印加することができる。このようにデータ信号をブロックごとに異なる時間に印加することで、解像度の変化にも対応することができる。
【００１６】
本願第５発明は、本願第４発明において、前記第１及び第２選択信号は、互いに反転された位相を有することを特徴とする表示装置を提供する。
【００１７】
第１選択信号がハイ信号であれば、第２選択信号はロウ信号となるように異なる位相を有するため、第１及び第２ブロックのデータラインそれぞれに、異なる時間にデータ信号を印加することができる。
【００１８】
本願第６発明は、本願第３発明において、前記ライン選択部は奇数番目のゲートラインのアクティブ区間のあいだには、前記第１ブロックに前記データ信号を出力した後、前記第２ブロックに前記データ信号を出力することを特徴とする表示装置を提供する。
【００１９】
本願第７発明は、本願第３発明において、前記ライン選択部は偶数番目のゲートラインのアクティブ区間のあいだには、前記第２ブロックに前記データ信号を出力した後、前記第１ブロックに前記データ信号を出力することを特徴とする表示装置を提供する。
【００２０】
本願第８発明は、本願第２発明において、前記データ信号の極性は、基準電圧より高い第１極性と前記基準電圧より低い第２極性とからなることを特徴とする表示装置を提供する。
【００２１】
第１極性が基準電圧より高く、第２極性が基準電圧より低いため、液晶表示装置の画面上において相対的に明るい画素領域と暗い画素領域とが交互に表示される。よって、画面の全体的な輝度が同一となり、液晶表示装置の表示品質を高めることができる。
【００２２】
本願第９発明は、本願第８発明において、奇数番目のゲートラインのアクティブ区間のあいだ、前記第１及び第２ブロックにそれぞれ印加されるデータ信号は互いに同一の極性を有し、偶数番目のゲートラインのアクティブ区間の間、前記第１及び第２ブロックにそれぞれ印加されるデータ信号は互いに異なる極性を有することを特徴とする表示装置を提供する。
【００２３】
奇数番目のゲートラインに対応する画素領域と、偶数番目のゲートラインに対応する画素領域とでは、その極性の分布が１個の画素領域分だけシフトされた関係となる。よって、液晶表示装置の画面上において相対的に明るい画素領域と暗い画素領域とが交互に表示され、全体的な輝度が同一となり、液晶表示装置の表示品質を高めることができる。
【００２４】
本願第１０発明は、本願第２発明において、直前ゲートラインのアクティブ区間のあいだの前記第２ブロックに印加されるデータ信号の極性は、現在ゲートラインのアクティブ区間のあいだの前記第１ブロックに印加されるデータ信号の極性と同一であることを特徴とする表示装置を提供する。
【００２５】
隣接するゲートラインに対応するそれぞれの画素領域において、直前ゲートラインの第２ブロックに対応する画素領域と、現在ゲートラインの第１ブロックに対応する画素領域とにおける極性が同一である。よって、隣接するゲートライン間において、相対的に明るい画素領域と暗い画素領域とが交互に表示され、全体的な輝度が同一となり、液晶表示装置の表示品質を高めることができる。
【００２６】
本願第１１発明は、本願第８発明において、前記ゲート駆動部が一番目のゲートラインから最後のゲートラインまで前記スキャン信号が順次に印加される間の時間区間をフレームとして定義するとき、前記データ駆動部は現在フレームから各データラインに前記第１極性のデータ信号を印加すると、次のフレームから前記各データラインに前記第２極性のデータ信号を印加することを特徴とする表示装置を提供する。
【００２７】
時間的に隣接するフレーム間において、同一画素での極性を異ならせることで、フレームが変わっても液晶表示装置の画面の輝度を全体的に均一にすることができる。例えば、奇数番目のフレームと偶数番目のフレームで印加されるデータ信号の極性を変えると、奇数フレームで相対的に明るく示される画素領域が、偶数フレームでも相対的に明るい画素領域として示されることで、フレームが変わっても液晶表示装置の画面は全体的に均一な輝度を有することができる。
【００２８】
本願第１２発明は、ｎ個のゲートライン及びｍ個のデータラインからなる複数個のブロックに分割される複数個のデータラインが具備された表示パネルを有する表示装置を駆動する方法において、ｉ番目のゲートラインをアクティブさせる段階と、前記ｉ番目のゲートラインにアクティブされた間、各ブロック単位でデータ信号を出力する段階と、ｉ＋１番目のゲートラインをアクティブさせる段階と、前記ｉ＋１番目のゲートラインにアクティブされた間、各ブロック単位でデータ信号を出力する段階と、ｉ＋２番目のゲートラインをアクティブさせる段階と、前記ｉ＋２番目のゲートラインにアクティブされた間、前記ｉ番目のゲートラインがアクティブされた間各ブロック単位で印加されたデータ信号と反対の位相を有するデータ信号をブロック単位で出力する段階と、を含むことを特徴とする表示装置駆動方法を提供する。ここで、ｍ、ｎは２以上の自然数であり、ｉは（ｎ−２）より小さいか同じの自然数である。
【００２９】
ブロック単位でデータラインにデータ信号を出力するとともに、隣接するゲートライン毎にデータ信号の極性を反転し、さらにゲートライン毎に各ブロックへのデータ信号の印加時間が異なるため、液晶表示装置の画面上において相対的に明るい画素領域と暗い画素領域とが交互に表示される。よって、画面の全体的な輝度が同一となり、液晶表示装置の表示品質を高めることができる。より詳細には、隣接する画素は、互いに逆極性のデータ信号により駆動されるため、隣接する画素間におけるフリッカが相殺される。また、ゲートライン毎に極性反転の位置が移動するため、極性反転に伴う正極性と負極性の表示画素の境界に生じる表示ムラを防止することができる。
【００３０】
本願第１３発明は、本願第１２発明において、前記データラインはｍ/２個のデータラインからなる第１ブロックと、残りのｍ/２個のデータラインからなる第２ブロックと、で構成されることを特徴とする表示装置駆動方法を提供する。ここで、ｍは偶数である。
【００３１】
本願第１４発明は、本願第２発明において、奇数番目のゲートラインのアクティブ区間のあいだには、前記第１ブロックに前記データ信号を出力した後前記第２ブロックに前記データ信号を出力することを特徴とする請求項１３記載の表示装置駆動方法。
【００３２】
本願第１５発明は、本願第１４発明において、偶数番目のゲートラインのアクティブ区間のあいだには、前記第２ブロックに前記データ信号を出力した後前記第１ブロックに前記データ信号を出力することを特徴とする表示装置駆動方法を提供する。
【００３３】
本願第１６発明は、本願第１３発明において、以前ゲートラインのアクティブ区間のあいだ、前記第２ブロックに印加される前記データ信号の極性は、現在のゲートラインのアクティブ区間のあいだ、前記第１ブロックに印加される前記データ信号の極性と同一であることを特徴とする表示装置駆動方法を提供する。
【００３４】
本願第１７発明は、複数のゲートラインと、少なくとも２つのデータラインからなる複数のブロックに分割される複数のデータラインと、複数の画素を含む表示パネルとを有する表示装置を駆動する方法において、第１グループのゲートラインがアクティブされると、第１ブロックのデータラインに第１データ信号を出力した後第２ブロックのデータラインに第２データ信号を出力する段階と、第２グループのゲートラインがアクティブされると、前記第２ブロックのデータラインに第３データ信号を出力した後前記第１ブロックのデータラインに第４データ信号を出力する段階と、を含む表示装置駆動方法を提供する。      
【００３５】
本願第１８発明は、本願第１７発明において、前記第１及び第２データ信号は、前記第１グループの各ゲートライン毎に交互に互いに異なる極性を有し出力されることを特徴とする表示装置駆動方法を提供する。
【００３６】
本願第１９発明は、本願第１７発明において、前記第３及び第４データ信号は、前記第２グループの各ゲートライン毎に交互に互いに異なる極性を有し出力されることを特徴とする表示装置駆動方法を提供する。
【００３７】
本願第２０発明は、本願第１７発明において、前記第１グループのゲートラインのアクティブ区間の間前記第１及び第２ブロックのデータ信号は互いに同一の極性を有し、前記第２グループのゲートラインのアクティブ区間の間前記第１及び第２ブロックのデータ信号は互いに異なる極性を有することを特徴とする表示装置駆動方法を提供する。
【００３８】
本願第２１発明は、本願第１７発明において、一番目のゲートラインから最後のゲートラインまで順次にアクティブされる間の時間区間をフレームとして定義する時、奇数番目のフレームに各画素に印加されるデータ信号の極性と偶数番目のフレームに前記各画素に印加されるデータ信号の極性とが互いに反対であることを特徴とする表示装置駆動方法を提供する。
【００３９】
本願第２２発明は、本願第１７発明において、前記画素の第１配列の方向に沿って２つの連続された同一の極性のデータ信号が前記画素に交互に印加され、前記第１配列方向と交差する第２配列方向に沿って２つの連続された同一の極性のデータ信号が前記画素に交互に印加されることを特徴とする表示装置駆動方法を提供する。  
【００４０】
本願第２３発明は、本願第１７発明において、相対的に明るい画素と相対的に暗い画素とが前記画素の第１配列方向及び前記第１配列方向と交差する第２配列方向に沿って交互に示されることを特徴とする表示装置駆動方法を提供する。
【００４１】
本願第２４発明は、本願第１７発明において、前記第１グループは奇数番目のゲートラインであり、前記第２グループは偶数番目のゲートラインであることを特徴とする表示装置駆動方法を提供する。
【００４２】
本願第２５発明は、画素の第１配列方向に沿って２つの連続された同一の極性の第１データ信号を前記画素に交互に印加されるようにし、前記第１配列方向と交差する第２配列方向に沿って２つの連続された同一の極性の第２データ信号を前記画素に交互に印加されるようにして表示装置の画面上に前記第１配列方向及び前記第２配列方向に沿って相対的に明るい画素領域と相対的に暗い画素領域とが交互に示されるように駆動する表示装置の駆動方法を提供する。
【００４３】
本願第２６発明は、複数のゲートラインと、少なくとも２つのデータラインからなる複数のブロックに分割される複数のデータラインと、複数の画素を含む表示パネルとを有する表示装置を駆動する装置は、第１グループのゲートラインがアクティブされると、第１ブロックのデータラインに第１データ信号を出力した後第２ブロックのデータラインに第２データ信号を出力し、第２グループのゲートラインがアクティブされると、前記第２ブロックのデータラインに第３データ信号を出力した後前記第１ブロックのデータラインに第４データ信号を出力することを特徴とする表示装置の駆動装置を提供する。
【発明の効果】
【００４４】
このような表示装置及びこれの駆動方法によると、表示装置の画面は全体的に均一な輝度を有することで表示特性を向上させることができる。
【発明を実施するための最良の形態】
【００４５】
以下、図面を参照して本発明の望ましい一実施例をより詳細に説明する。図１は本発明の一実施例による液晶表示装置を示すブロック図である。
【００４６】
図１に示すように、本発明の一実施例による液晶表示装置６００はゲート駆動部２００、データ駆動部３００及びライン選択部４００によって駆動されて映像を表示する液晶表示パネル１００を含む。
【００４７】
コントローラー５００は外部から提供される各種信号に応答して、前記ゲート駆動部２００の駆動を制御する水平制御信号ＨＣＳ、前記データ駆動部３００の駆動を制御する垂直制御信号ＶＣＳ及び前記ライン選択部４００の動作を制御する選択制御信号ＴＧを出力する。
【００４８】
前記液晶表示パネル１００は第１基板、前記第１基板と向き合う第２基板及び前記第１基板と第２基板との間に介在された液晶層（図示せず）で構成され、映像を表示する表示領域ＤＡ、前記表示領域ＤＡに隣接する第１及び第２周辺領域ＳＡ１、ＳＡ２に区分される。
【００４９】
前記表示領域ＤＡには、第１方向Ｄ１に延長された第１乃至第ｎゲートラインからなるゲートラインＧＬ１〜ＧＬｎ及び前記第１方向Ｄ１と直交する第２方向Ｄ２に延長された第１乃至第２ｍデータラインからなるデータラインＤＬ１〜ＤＬ２ｍが具備される。ここで、ｍとｎは１以上の自然数である。前記ゲートラインＧＬ１〜ＧＬｎとデータラインＤＬ１〜ＤＬ２ｍによって区画された２ｍ×ｎ個のそれぞれの画素領域にはＴＦＴ１１０及び画素電極１２０が具備される。
【００５０】
図１に示されたように、前記ＴＦＴ１１０のゲート電極は前記ゲートラインのうち、一つのゲートラインＧＬ１に連結され、ソース電極は前記データラインのうち一つのデータラインＤＬ１に連結され、ドレーン電極は画素電極１２０と結合する。
【００５１】
前記第１周辺領域ＳＡ１は前記ゲートラインＧＬ１〜ＧＬｎの一端部と隣接する領域であり、前記第１周辺領域ＳＡ１には前記ゲート駆動部２００が前記表示領域ＤＡに形成される。ゲート駆動部２００は、前記ＴＦＴ１１０を形成する工程を通じて共に形成される。前記ゲート駆動部２００は前記第１ゲートラインＧＬ１から順次に前記第ｎゲートラインＧＬｎまでスキャン信号を出力する。
【００５２】
前記第２周辺領域ＳＡ２は前記データラインＤＬ１〜ＤＬ２ｍの一端部と隣接する領域であり、前記第２周辺領域ＳＡ２には前記データ駆動部３００とライン選択部４００とが具備される。例えば、前記データ駆動部３００はチップ形態で前記第２周辺領域ＳＡ２に実装され、前記ライン選択部４００は前記表示領域ＤＡに形成される。前記ライン選択部４００は、前記ＴＦＴ１１０を形成する工程を通じて共に形成される。
【００５３】
図２は図１に示されたライン選択部を具体的に示す図面である。図２に示すように、表示領域ＤＡに具備されたデータラインＤＬ１〜ＤＬ２ｍは、２ｍ個のデータラインのうち一部であるｍ個のデータＤＬ１〜ＤＬ２ｍ−１からなる第１ラインブロックＬＢ１と、残りのｍ個のデータラインＤＬ２〜ＤＬ２ｍからなる第２ラインブロックＬＢ２に区分される。例えば、前記第１ラインブロックＬＢ１は奇数番目のデータラインからなり、前記第２ラインブロックＬＢ２は偶数番目のデータラインからなる。
【００５４】
前記データ駆動部３００は、ｍ個のチャンネル端子ＣＨ１〜ＣＨｍを通じてブロック単位でデータ信号を出力する。前記ライン選択部４００は、前記第１ラインブロックＬＢ１に連結された第１選択ブロックＳＢ１及び前記第２ラインブロックＬＢ２に連結された第２選択ブロックＳＢ２からなり、前記データ駆動部３００からブロック単位で出力されたデータ信号を第１及び第２ラインブロックＬＢ１、ＬＢ２に時間差をおいて印加する。
【００５５】
前記第１選択ブロックＳＢ１は、チャンネル端子ＣＨ１〜ＣＨｍと前記第１ラインブロックＬＢ１との間に具備され、前記データ駆動部３００から提供される第１選択信号ＴＧ１に応答して前記第１ラインブロックＬＢ１に前記データ信号を出力する。また、前記第２選択ブロックＳＢ２は、前記チャンネル端子ＣＨ１〜ＣＨｍと前記第２ラインブロックＬＢ２との間に具備され、前記データ駆動部３００から提供される第２選択信号ＴＧ２に応答して前記第２ラインブロックＬＢ２に前記データ信号を出力する。
【００５６】
例えば、前記第１及び第２選択信号ＴＧ１、ＴＧ２は互いに反転された位相を有し、その結果、前記第１及び第２選択ブロックＳＢ１、ＳＢ２は互いに交互にターンオンされる。これにより、前記ライン選択部４００は前記データ信号を前記第１ラインブロックＬＢ１と第２ラインブロックＬＢ２に交互に印加することができる。
【００５７】
前記第１選択ブロックＳＢ１は、複数の第１選択スイッチング素子ＳＷ１を含み、前記第２選択ブロックＳＢ２は複数の第２選択スイッチング素子ＳＷ２を含む。例えば、第１及び第２選択スイッチング素子はトランジスタである。図２に示されたように、前記第１選択スイッチング素子ＳＷ１のゲート電極は前記データ駆動部３００から第１選択信号ＴＧ１を受信し、ソース電極は前記データ駆動部３００からデータ信号を受信し、ドレイン電極は前記第１ラインブロックＬＢ１に属する奇数番目のデータラインＤＬ１〜ＤＬ２ｍ−１に前記データ信号を出力する。
【００５８】
一方、前記各第２選択スイッチング素子ＳＷ２のゲート電極は、前記データ駆動部３００から第２選択信号ＴＧ２を受信し、ソース電極はデータ駆動部３００からデータ信号を受信し、前記ドレイン電極は前記第２ラインブロックＬＢ２に属する偶数番目のデータラインＤＬ２〜ＤＬ２ｍに前記データ信号を出力する。
【００５９】
図２では、前記データラインＤＬ１〜ＤＬ２ｍに前記データ駆動部３００のｍ個のチャンネル端子ＣＨ１〜ＣＨｍより２倍多い２ｍ個のデータラインからなる実施例を示した。しかし、前記データラインは、前記ｍ個のチャンネル端子より３倍、４倍、．．．．多い３ｍ、４ｍ、．．．個のデータラインからなることができる。このとき、前記ライン選択部３００は、３個、４個、．．．のブロックに分離された前記データラインにブロック単位で前記データ信号を印加する。
【００６０】
図３〜図４は図１に示されたゲート駆動部の出力による第１及び第２選択信号の位相を示す波形図である。特に、図３（ｂ）及び図３（ｃ）は、それぞれｎ個のゲートラインのうち奇数番目の第１及び第３ゲートラインの出力波形を示し、図４（ｂ）及び図４（ｃ）は、ｎ個のゲートラインのうち偶数番目の第２及び第４ゲートラインの出力波形を示す。
【００６１】
図３（ａ）乃至図３（ｄ）に示すように、第１ゲートラインＧＬ１にスキャン信号が印加されると、第１及び第２選択信号ＴＧ１、ＴＧ２は交互にハイレベルを有する。例えば、前記第１ゲートラインＧＬ１にスキャン信号が印加される第１アクティブ区間Ｔ１は、前記第１選択信号ＴＧ１がハイレベルを有する第１選択区間ｔ１及び前記第２選択信号ＴＧ２がハイレベルを有する第２選択区間ｔ２で構成される。例えば、前記第１及び第２選択区間ｔ１、ｔ２は前記第１アクティブ区間Ｔ１の１/２である。
【００６２】
また、例えば、第３ゲートラインＧＬ３にスキャン信号が印加される第３アクティブ区間Ｔ３は、前記第１選択信号ＴＧ１がハイレベルを有する第５選択区間ｔ５と前記第２選択信号ＴＧ２がハイレベルを有する第６選択区間ｔ６とで構成される。例えば、前記第５及び第６選択区間ｔ５、ｔ６は前記第３アクティブ区間Ｔ３の１/２である。
【００６３】
一方、図４（ａ）ないし図４（ｄ）に示されたように、例えば、第２ゲートラインＧＬ２にスキャン信号が印加される第２アクティブ区間Ｔ２は、前記第２選択信号ＴＧ２がハイレベルを有する第３選択区間ｔ３と前記第１選択信号ＴＧ１がハイレベルを有する第４選択区間ｔ４とで構成される。
【００６４】
また、例えば第４ゲートラインＧＬ４にスキャン信号が印加される第４アクティブ区間Ｔ４は、前記第２選択信号ＴＧ２がハイレベルを有する第７選択区間ｔ７と前記第１選択信号ＴＧ１がハイレベルを有する第８選択区間ｔ８とで構成される。
【００６５】
このように、奇数番目のゲートラインＧＬ１、ＧＬ３のアクティブ区間Ｔ１、Ｔ３では、前記第１選択信号ＴＧ１に応答して前記第１選択ブロックＳＢ１がまずターンオンされ、その後、前記第２選択信号ＴＧ２に応答して前記第２選択ブロックＳＢ２がターンオンされる。偶数番目のゲートラインＧＬ２、ＧＬ４のアクティブ区間Ｔ２、Ｔ４では、前記第２選択信号ＴＧ２に応答して前記第２選択ブロックＳＢ２がまずターンオンされ、その後、前記第１選択信号ＴＧ１に応答して前記第１選択ブロックＳＢ１がターンオンされる。
【００６６】
また、これとは反対に、奇数番目のゲートラインＧＬ１、ＧＬ３のアクティブ区間Ｔ１、Ｔ３では、前記第２選択信号ＴＧ２に応答して前記第２選択ブロックＳＢ２がターンオンされ、その後、前記第１選択信号ＴＧ１に応答して前記第１選択ブロックＳＢ１がターンオンされることもできる。そして、偶数番目のゲートラインＧＬ２、ＧＬ４のアクティブ区間Ｔ２、Ｔ４では前記第１選択信号ＴＧ１に応答して前記第１選択ブロックＳＢ１がまずターンオンされ、その後、前記第２選択信号ＴＧ２に応答して前記第２選択ブロックＳＢ２がターンオンされることもできる。
【００６７】
従って、前記第１乃至第４アクティブ区間Ｔ１〜Ｔ４において、前記第１及び第２ラインブロックＬＢ１、ＬＢ２に時間差を置いてデータ信号をそれぞれ印加することができる。前記第１及び第２ラインブロックＬＢ１、ＬＢ２が選択される順序はゲートライン単位で異なる。
【００６８】
図５（ａ）乃至図５（ｄ）は、奇数番目のフレームでの時間の流れによるライン選択部の出力波形図であり、図６は液晶表示パネルの画素領域別データ信号の極性を示す図面である。ここで、１フレームは一番目のゲートラインからｎ番目のゲートラインまで順次にスキャン信号が印加される間の時間区間として定義される。また、１フレームは一番目のゲートラインから最後のゲートラインまで順次にアクティブされる間の時間区間として定義することができる。例えば、フレームが１秒に６４回変わる場合、奇数フレームは６４個のフレームのうち、奇数番目のフレームを示す。
【００６９】
但し、図５（ａ）乃至図５（ｄ）では、例えば、ｎ個のゲートラインのうち第１乃至第４ゲートラインＧＬ１〜ＧＬ４を示し、２ｍ個のデータラインのうち第１乃至第１０データラインＤＬ１〜ＤＬ１０のみを示す。  
【００７０】
図５（ａ）で実線は第１ラインブロックのデータラインに印加される第１データ信号を示し、点線は第２ラインブロックのデータラインに印加される第２データ信号を示す。
【００７１】
また、図１５で斜線部分は相対的に明るい画素領域６０３、６０５を示し、斜線のない部分は相対的に暗い画素領域６０１を示す。
【００７２】
図５乃至図６に示すように、第１ゲートラインＧＬ１には第１アクティブ区間（Ｔ１、図３（ａ）に図示）の間スキャン信号が出力される。このとき、前記第１アクティブ区間Ｔ１の一部である第１選択区間ｔ１で第１ラインブロック（ＬＢ１、図２に図示）に第１データ信号が印加され、前記第１アクティブ区間Ｔ１の残りの第２選択区間ｔ２で第２ラインブロック（ＬＢ２、図２に図示）に前記第２データ信号が印加される。
【００７３】
前記第１選択区間ｔ１でハイレベルを有する第１選択信号（ＴＧ１、図３（ａ）に図示）に応答して前記第１ラインブロックＬＢ１に前記第１データ信号が出力され、前記第２選択区間ｔ２でハイレベルを有する第２選択信号（ＴＧ２、図３（ｂ）に図示）に応答して前記第２ラインブロックＬＢ２に前記第２データ信号が出力される。
【００７４】
即ち、全体ゲートラインのうち奇数番目のゲートラインＧＬ１、ＧＬ３が駆動されると、全体データラインのうちまず、奇数番目のデータラインにデータ信号が出力され、その後、偶数番目のデータラインにデータ信号が出力される。
【００７５】
反面、偶数番目のゲートラインＧＬ２、ＧＬ４が駆動されると、全体のデータラインのうち、まず、偶数番目のデータラインにデータ信号が出力され、その後、奇数番目のデータラインにデータ信号が出力される。
【００７６】
例えば、前記第１及び第２データ信号の正極性＋は、共通電圧Ｖｃｏｍより高い電位を有し、前記第１及び第２データ信号の負極性−は前記共通電圧より低い電位を有する。
【００７７】
例えば、図６に示すように、前記第１選択区間ｔ１の間、第１、第５及び第９データラインＤＬ１、ＤＬ５、ＤＬ９には正極性＋の第１データ信号が印加され、第３及び第７データラインＤＬ３、ＤＬ７には負極性−の第１データ信号が印加される。また、例えば、前記第２選択区間ｔ２の間、第２、第６及び第１０データラインＤＬ２、ＤＬ６、ＤＬ１０には正極性＋の第２データ信号が印加され、第４及び第８データラインＤＬ４、ＤＬ８には負極性−の第２データ信号が印加される。
【００７８】
前記第１アクティブ区間Ｔ１内で前記第１ラインブロックＬＢ１に印加される前記第１データ信号は、前記第２ラインブロックＬＢ２に印加される前記第２データ信号と同一の極性を有する。
【００７９】
以後、第２ゲートラインＧＬ２には第２アクティブ区間（Ｔ２、図４（ｃ）に図示）の間前記スキャン信号が印加され、前記第２アクティブ区間Ｔ２の一部である第３選択区間ｔ３には前記第２ラインブロックＬＢ２に前記第２データ信号が印加される。また、前記第２アクティブ区間Ｔ２の残りの一部である第４選択区間ｔ４で前記第１ラインブロックＬＢ１に前記第１データ信号が印加される。
【００８０】
例えば、前記第３選択区間ｔ３の間前記第２、第６及び第１０データラインＤＬ２、ＤＬ６、ＤＬ１０には負極性−の第２データ信号が印加され、前記第４及び第８データラインＤＬ４、ＤＬ８には正極性＋の第２データ信号が印加される。また、例えば、前記第４選択区間ｔ４の間前記第１、第５及び第９データラインＤＬ１、ＤＬ５、ＤＬ９には正極性＋の第１データ信号が印加され、前記第３及び第７データラインＤＬ３、ＤＬ７には負極性−の第１データ信号が印加される。
【００８１】
前記第２アクティブ区間Ｔ２で、前記第１及び第２データ信号の極性は、前記第１アクティブ区間Ｔ１から出力された前記第１及び第２データ信号の極性が、図６の第３方向Ｄ３に１個の画素領域分だけシフトされるのと同一である。即ち、前記第１アクティブ区間Ｔ１で前記第２ラインブロックＬＢ２に印加された第２データ信号が、前記第２アクティブ区間Ｔ２で第１データ信号として前記第１ブロックＬＢ１に印加される。従って、前記第２アクティブ区間Ｔ２内で前記第１ラインブロックＬＢ１に印加される前記第１データ信号は、前記第２ラインブロックＬＢ２に印加される前記第２データ信号と互いに異なる極性を有する。
【００８２】
以後、第３ゲートラインＧＬ３に第３アクティブ区間（Ｔ３、図４（ｄ）に示す）の間、前記スキャン信号が印加され、前記第３アクティブ区間Ｔ３の一部である第５選択区間ｔ５では第１ラインブロックＬＢ１に第１データ信号が印加される。また、前記第３アクティブ区間Ｔ３の残りの一部である第６選択区間ｔ６では第２ラインブロックＬＢ２に前記第２データ信号が印加される。
【００８３】
例えば、前記第５選択区間ｔ５の間、前記第１、第５及び第９データラインＤＬ１、ＤＬ５、ＤＬ９には負極性−の第１データ信号が印加され、前記第３及び第７データラインＤＬ３、ＤＬ７には正極性＋の第１データ信号が印加される。また、例えば、前記第６選択区間ｔ６の間前記第２、第６及び第１０データライン（ＤＬ２、ＤＬ６、ＤＬ１０）には負極性−の第２データ信号が印加され、前記第４及び第８データラインＤＬ４〜ＤＬ８には正極性＋の第２データ信号が印加される。
【００８４】
前記第３アクティブ区間Ｔ３で前記第１及び第２データ信号の極性は前記第２アクティブ区間Ｔ２から出力された前記第１及び第２データ信号の極性が図６の前記第３方向Ｄ３に１個の画素領域分だけシフトされたのと同一である。従って、前記第３アクティブ区間Ｔ３内で前記第１ラインブロックＬＢ１に印加される前記第１データ信号は前記第２ラインブロックＬＢ２に印加される前記第２データ信号と同一の極性を有する。
【００８５】
第４アクティブ区間Ｔ４の間、第４ゲートラインＧＬ４に前記スキャン信号が印加され、前記第４アクティブ区間Ｔ４の一部である第７選択区間ｔ７には第２ラインブロックＬＢ２に第２データ信号が印加される。また、前記第４アクティブ区間Ｔ４の残りの一部である第８選択区間ｔ８には第１ラインブロックＬＢ１に前記第１データ信号が印加される。
【００８６】
例えば、前記第７選択区間ｔ７の間前記第２、第６及び第１０データラインＤＬ２、ＤＬ６、ＤＬ１０には正極性＋の第２データ信号が印加され、前記第４及び第８データラインＤＬ４、ＤＬ８には負極性−の第２データ信号が印加される。また、例えば、前記第８選択区間ｔ８の間前記第１、第５及び第９データラインＤＬ１、ＤＬ５、ＤＬ９には負極性−の第１データ信号が印加され、前記第３及び第７データラインＤＬ３、ＤＬ７には正極性＋の第１データ信号が印加される。
【００８７】
前記第４アクティブ区間Ｔ４で前記第１及び第２データ信号の極性は前記第３アクティブ区間Ｔ３から出力された前記第１及び第２データ信号の極性が図６の第３方向Ｄ３に１個の画素領域分だけシフトされたのと同一である。従って、前記第４アクティブ区間Ｔ４内で前記第１ラインブロックＬＢ１に印加される前記第１データ信号は前記第２ラインブロックＬＢ２に印加される前記第２データ信号と互いに異なる極性を有する。
【００８８】
図５（ａ）乃至図５（ｄ）に示されたように、液晶表示装置に信号を印加することで、液晶表示装置の画面上に相対的に明るい画素領域６０３、６０５と相対的に暗い画素領域６０１に交互に示されるようになる。これにより、明るい画素領域と暗い画素領域との混合を通じて前記液晶表示装置の画面の全体的な輝度は同一になる。
【００８９】
図７（ａ）乃至図７（ｄ）は偶数番目フレームでの時間流れによるライン選択部４００の出力波形図であり、図２０は画素領域別データ信号の極性を示す図面である。ここで、偶数フレームは６４個のうち偶数番目のフレームで定義される。
【００９０】
また、図７（ａ）乃至図７（ｄ）で実線は第１ラインブロックのデータラインに印加される第１データ信号を示し、点線は第２ラインブロックのデータラインに印加される第２データ信号を示す。
【００９１】
また、図８で斜線部分は相対的に明るい画素領域８０３、８０５を示し、斜線のない部分は相対的に暗い画素領域８０１を示す。
【００９２】
図７（ａ）乃至図７（ｄ）に示すように、例えば、第１ゲートラインＧＬ１にスキャン信号が印加される第１アクティブ区間Ｔ１のうち第１選択区間ｔ１の間第１、第５及び第９データラインＤＬ１、ＤＬ５、ＤＬ９には負極性−の第１データ信号が印加され、第３及び第７データラインＤＬ３、ＤＬ７には正極性＋の第１データ信号が印加される。以後、例えば、第２選択区間ｔ２の間第２、第６及び第１０データラインＤＬ２、ＤＬ６、ＤＬ１０には負極性−の第２データ信号が印加され、第４及び第８データラインＤＬ４、ＤＬ８には正極性＋の第２データ信号が印加される。
【００９３】
例えば、第２ゲートラインＤＬ２にスキャン信号が印加される第２アクティブ区間Ｔ２のうち、第３選択区間ｔ３の間前、記第２、第６及び第１０データラインＤＬ２、ＤＬ６、ＤＬ１０には正極性＋の第１データ信号が印加され、前記第４及び第８データラインＤＬ４、ＤＬ８には負極性−の第１データ信号が印加される。以後、例えば、第４選択区間ｔ４の間前記第１、第５及び第９データラインＤＬ１、ＤＬ５、ＤＬ９には負極性−の第２データ信号が印加され、前記第３及び第７データラインＤＬ３、ＤＬ７には正極性＋の第２データ信号が印加される。
【００９４】
例えば、第３ゲートラインＧＬ３にスキャン信号が印加される第３アクティブ区間Ｔ３のうち、第５選択区間ｔ５の間前記第１、第５及び第９データラインＤＬ１、ＤＬ５、ＤＬ９には正極性＋の第１データ信号が印加され、前記第３及び第７データラインＤＬ３、ＤＬ７には負極性−の第１データ信号が印加される。以後、例えば、第６選択区間ｔ６の間前記第２、第６及び第１０データラインＤＬ２、ＤＬ６、ＤＬ１０には正極性＋の第２データ信号が印加され、前記第４及び第８データラインＤＬ４、ＤＬ８には負極性−の第２データ信号が印加される。
【００９５】
例えば、第４ゲートラインＧＬ４にスキャン信号が印加される第４アクティブ区間Ｔ４のうち、第７選択区間ｔ７の間前記第２、第６及び第１０データラインＤＬ２、ＤＬ６、ＤＬ１０には正極性＋の第２データ信号が印加され、前記第４及び第８データラインＤＬ４、ＤＬ８には負極性−の第２データ信号が印加される。以後、第８選択区間ｔ８の間前記第１、第５及び第９データラインＤＬ１、ＤＬ５、ＤＬ９には負極性−の第１データ信号が印加され、前記第３及び第７データラインＤＬ３、ＤＬ７には正極性＋の第１データライン信号が印加される。
【００９６】
このように、液晶表示装置の画面上に相対的に明るい画素領域８０３、８０５と暗い画素領域８０１とが交互的に示されることで、明るい画素領域８０３、８０５と暗い画素領域８０１との混合を通じて前記画面の全体的な輝度は同一になる。
【００９７】
図５乃至図７に示されたように、奇数フレームで画素領域に印加されるデータ信号の極性と偶数フレームで画素領域に印加されるデータ信号の極性とが互いに異なる。しかし、奇数フレームで相対的に明るく示される画素領域６０３、６０５が偶数フレームでも相対的に明るい画素領域８０３、８０５として示されることで、フレームが変わっても液晶表示装置の画面は全体的に均一な輝度を有することができる。
【００９８】
図２乃至図８では液晶表示パネルに具備されるデータラインの個数がデータ駆動部の出力端子の２倍として、データラインが２つのブロックに分割される場合を示した。しかし、液晶表示パネルの解像度の増加に起因して前記データラインは前記出力端子の３倍、４倍またはその以上に構成されることができる。
【００９９】
このような液晶表示装置及びこれの駆動方法によると、データ駆動部はアクティブ区間の間、ｍ/ｉ個のデータ信号をｉ回出力するものの、アクティブ区間単位でデータ信号の極性をシフトさせて出力する。ライン選択部は各ブロックにｍ/ｉ個のデータ信号を印加し、ゲートライン単位で各ブロックが選択される時間を異なるようにする。
【０１００】
従って、液晶表示装置の画面上に相対的に明るい画素領域とくらい画素領域とが交互的に示されることで、明るい画素領域と暗い画素領域との混合を通じて全体的な輝度は同一になる。これにより、液晶表示装置の表示特性を向上させることができる。
【０１０１】
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【０１０２】
【図１】本発明の一実施例による液晶表示装置を示すブロック図である。
【図２】図１に示されたライン選択部を具体的に示す図面である。
【図３】（ａ）図１に示されたゲート駆動部の出力による第１及び第２選択信号の位相を示す波形図である。
【０１０３】
（ｂ）図１に示されたゲート駆動部の出力による第１及び第２選択信号の位相を示す波形図である。
【０１０４】
（ｃ）それぞれｎ個のゲートラインのうち第１及び第３ゲートラインの出力波形を示す波形図である。
【０１０５】
（ｄ）それぞれｎ個のゲートラインのうち第１及び第３ゲートラインの出力波形を示す波形図である。
【図４】（ａ）図１に示されたゲート駆動部の出力による第１及び第２選択信号の位相を示す波形図である。
【０１０６】
（ｂ）図１に示されたゲート駆動部の出力による第１及び第２選択信号の位相を示す波形図である。
【０１０７】
（ｃ）ｎ個のゲートラインのうち、第２及び第４ゲートラインの出力波形を示す波形図である。
【０１０８】
（ｄ）ｎ個のゲートラインのうち、第２及び第４ゲートラインの出力波形を示す波形図である。
【図５】（ａ）奇数フレームで時間の流れによるライン選択部の出力波形図である。
【０１０９】
（ｂ）奇数フレームで時間の流れによるライン選択部の出力波形図である。
【０１１０】
（ｃ）奇数フレームで時間の流れによるライン選択部の出力波形図である。
【０１１１】
（ｄ）奇数フレームで時間の流れによるライン選択部の出力波形図である。
【図６】画素領域別データ信号の極性を示す図面である。
【図７】（ａ）偶数フレームで時間の流れによるライン選択部の出力波形図である。
【０１１２】
（ｂ）偶数フレームで時間の流れによるライン選択部の出力波形図である。
【０１１３】
（ｃ）偶数フレームで時間の流れによるライン選択部の出力波形図である。
【０１１４】
（ｄ）偶数フレームで時間の流れによるライン選択部の出力波形図である。
【図８】画素領域別データ信号の極性を示す図面である。
【符号の説明】
【０１１５】
１００      液晶表示パネル
１１０      ＴＦＴ
１２０      画素電極  
２００      ゲート駆動部
３００      データ駆動部
４００      ライン選択部
５００      コントローラー
６００      液晶表示装置
【図１】
2005122172.tif 000003
【図２】
2005122172.tif 000004
【図３】
2005122172.tif 000005
【図４】
2005122172.tif 000006
【図５】
2005122172.tif 000007
【図６】
2005122172.tif 000008
【図７】
2005122172.tif 000009
【図８】
2005122172.tif 000010